(57)【要約】【課題】金属アレルギーを起こしにくいピアス用ピン及びピアスを提供する。【解決手段】ピン部１０は、棒状のピン本体１１及びこの基端に設けられ、飾りが表面に施されるシャトン２２の裏面の少なくとも一部を覆う皿部１２を備え、ピン本体１１及び皿部１２はチタン製であることを特徴とする。飾りが表面に施されるシャトン２２の裏面の少なくとも一部を覆う皿部１２がピン本体１１の基端に設けられ、ピン本体１１及び皿部１２が金属アレルギーを起こし難いとして知られるチタン製であることから、ピン本体１１を耳の穴にいれてピアス用ピンを耳に付けた際に皿部１２が間に介在することでシャトン２２が耳に触れることがなく、金属アレルギーを起こし難い。【選択図】図１
2017119067.tif 000002
【特許請求の範囲】
【請求項１】
棒状のピン本体と、
前記ピン本体の基端に設けられ、飾りが表面に施されるシャトンの裏面の少なくとも一部を覆う皿部と、
を備え、前記ピン本体及び前記皿部はチタン製であることを特徴とするピアス用ピン。
【請求項２】
請求項１に記載のピアス用ピンと、
前記ピアス用ピンの皿部に裏面が固定される貴金属製の前記シャトンと、
を備えるピアス。
【請求項３】
前記皿部に設けられる第１のロウ材と、
前記第１のロウ材に溶接される、前記シャトンの裏面に設けられる第２のロウ材と、
をさらに備えるピアス。
【請求項４】
前記第１及び第２のロウ材は、同じ素材からなることを特徴とする、請求項３に記載のピアス。
【請求項５】
前記第１及び第２のロウ材は、銀からなり、
前記貴金属は、金、銀又は白金であることを特徴とする、請求項３又は４に記載のピアス。
【請求項６】
棒状のピン本体と、該ピン本体の基端に設けられ、飾りが表面に施されるシャトンの裏面の少なくとも一部を覆う皿部と、を備えるピアス用ピンの前記皿部に第１のロウ材を溶着する工程と、
前記シャトンの裏面に第２のロウ材を溶着する工程と、
前記第２のロウ材を前記第１のロウ材に溶接する工程と、
を含み、前記ピン本体及び前記皿部はチタン製であり、前記シャトンは貴金属性であることを特徴とするピアスの製造方法。
【請求項７】
前記第１及び第２のロウ材は、同じ素材からなることを特徴とする、請求項６に記載のピアスの製造方法。
【請求項８】
前記第１及び第２のロウ材は、銀からなり、
前記貴金属は、金、銀又は白金であることを特徴とする、請求項６又は７に記載のピアスの製造方法。
【発明の詳細な説明】
【技術分野】
【０００１】
本発明は、ピアス用ピン、ピアス、及びピアスの製造方法に関する。
【背景技術】
【０００２】
ピアスは、身体、特に耳たぶに穴を通し、その穴にピンを通すことで身に付ける装身具である。ピアスは、身体の穴に通すピンと宝石等の飾りをのせるシャトンとから構成される。ここで、ピアスを身に付けることで、金属が身体に触れて金属アレルギーを起こすことがある。そこで、身体の孔に通すピンを、金属アレルギーを起こし難いとされるチタンより構成することが考えられる。しかし、貴金属等から構成されるシャトンが身体に触れることで金属アレルギーを起こしてしまう。
【０００３】
また、シャトンは、ピンに、ロウ付けする、すなわちシャトンとピンとの２つの金属の間にそれらより融点の低い金属を流すことで固定される。しかし、ピンを構成するチタンは、シャトンを構成する貴金属等の他の金属に接合し難いという問題がある。そこで、例えば特許文献１では、ポスト（すなわち、ピン）の基端に挿入穴を設け、飾りが設けられたホルダに挿入部を設け、挿入部を挿入穴に圧入することでホルダをポストに固定する。
【先行技術文献】
【特許文献】
【０００４】
【特許文献１】特開平９−３２７３０９号公報
【発明の概要】
【発明が解決しようとする課題】
【０００５】
本発明は、金属アレルギーを起こしにくいピアス用ピン及びピアスを提供すること、シャトンをピアス用ピンに容易に接続することができるピアス及びピアスの製造方法を提供することを課題とする。
【課題を解決するための手段】
【０００６】
本発明は、棒状のピン本体と、ピン本体の基端に設けられ、飾りが表面に施されるシャトンの裏面の少なくとも一部を覆う皿部と、を備え、ピン本体及び皿部はチタン製であることを特徴とするピアス用ピンである。
【０００７】
これによれば、飾りが表面に施されるシャトンの裏面の少なくとも一部を覆う皿部がピン本体の基端に設けられ、ピン本体及び皿部が金属アレルギーを起こし難いとして知られるチタン製であることから、ピン本体を耳の穴にいれてピアス用ピンを耳に付けた際に皿部が間に介在することでシャトンが耳に触れることがない。
【０００８】
また、本発明は、上記ピアス用ピンと、ピアス用ピンの皿部に裏面が固定される貴金属製のシャトンと、を備えるピアスである。
【０００９】
これによれば、ピアス用ピンのピン本体を耳の穴にいれてピアスを耳に付けた際に皿部が間に介在することでシャトンが耳に触れることがない。
【００１０】
本発明のピアスは、皿部に設けられる第１のロウ材と、第１のロウ材に溶接される、シャトンの裏面に設けられる第２のロウ材と、をさらに備える。
【００１１】
これによれば、ピアス用ピンの皿部に設けられた第１のロウ材に、シャトンの裏面に設けられた第２のロウ材を溶接することで、シャトンをピアス用ピンに固定することができる。
【００１２】
本発明のピアスは、第１及び第２のロウ材は、同じ素材からなることを特徴とする。
【００１３】
これによれば、第１及び第２のロウ材が同じ素材からなることで、第２のロウ材を第１のロウ材に溶接することが容易にできる。
【００１４】
本発明のピアスは、第１及び第２のロウ材は、銀からなり、貴金属は、金、銀又は白金であることを特徴とする。
【００１５】
これによれば、第１及び第２のロウ材は、金又は白金である貴金属及びチタンより融点の低い銀であることで、第１及び第２のロウ材を用いてシャトンをピアス用ピンの皿部に固定することができる。
【００１６】
また、本発明は、棒状のピン本体と、該ピン本体の基端に設けられ、飾りが表面に施されるシャトンの裏面の少なくとも一部を覆う皿部と、を備えるピアス用ピンの皿部に第１のロウ材を溶着する工程と、シャトンの裏面に第２のロウ材を溶着する工程と、第２のロウ材を第１のロウ材に溶接する工程と、を含み、ピン本体及び皿部はチタン製であり、シャトンは貴金属性であることを特徴とするピアスの製造方法である。
【００１７】
これによれば、ピアス用ピンの皿部に第１のロウ材を溶着し、シャトンの裏面に第２のロウ材を溶着し、第２のロウ材を第１のロウ材に溶接することで、チタン製のピアス用ピンの皿部に貴金属性のシャトンを容易に接続することができる。
【００１８】
また、本発明のピアスの製造方法は、第１及び第２のロウ材は、同じ素材からなることを特徴とする。
【００１９】
これによれば、第１及び第２のロウ材が同じ素材からなることで、第２のロウ材を第１のロウ材に溶接することができる。
【００２０】
また、本発明のピアスの製造方法は、第１及び第２のロウ材は、銀からなり、貴金属は、金又は白金であることを特徴とする。
【００２１】
第１及び第２のロウ材は、金、銀又は白金である貴金属より融点の低い銀であることで、第１及び第２のロウ材を用いてシャトンをピアス用ピンの皿部に固定することができる。なお、ピン本体にかかるチタンについては、融点が高く、銀をロウ材とすることは問題なく可能である。
【発明の効果】
【００２２】
本発明のピアス用ピン及びピアスによれば、金属アレルギーを起こしにくいピアス用ピン及びピアスを提供することが可能となる。また、本発明のピアス及びピアスの製造方法によれば、シャトンをピアス用ピンに容易に接続することが可能となる。
【図面の簡単な説明】
【００２３】
【図１】図１は、本実施形態に係るピアスの構成を示す図である。
【図２】図２は、ピアスの製造方法を説明するための図である。
【図３】図３は、ピアスの製造方法を説明するための図である。
【図４】図４は、ピアスの製造方法を説明するための図である。
【発明を実施するための形態】
【００２４】
以下、本発明の一実施形態について説明する。
【００２５】
図１に、本実施形態に係るピアス１の構成を示す。ピアス１は、ピン部１０、装飾部２０、及び接合部３０から構成される。
【００２６】
ピン部１０は、ピアス１を身に付けるための部分（ピアス用ピンとも呼ぶ）であり、ピン本体１１及び皿部１２を有する。ピン本体１１は、図面左右方向を長手とする棒状部材である。皿部１２は、図面上下方向及び紙面垂直方向に拡がる一面を図面右側に向けた皿状の部材であり、ピン本体１１の基端（図面右側の端）に設けられている。皿部１２は、後述するシャトン２２の裏面の少なくとも一部を覆う。ピン本体１１及び皿部１２は、チタンを用いて一体的に構成される。なお、ピアス１を身体に固定するために、ピン本体１１を身体の穴に通した後、ピン本体１１の先端に留める留め具をさらに設けてもよい。
【００２７】
装飾部２０は、ピアス１の装飾部材２１及びこれを保持するシャトン２２を有する。装飾部材２１は、例えば宝石等の飾りである。シャトン２２は、装飾部材２１を表面に保持する台座であり、図面上下方向及び紙面垂直方向に拡がる一面を図面右側に向けた皿状の部材である。シャトン２２は、一例として金、白金等の貴金属から構成され、ピン部１０の皿部１２より大きい裏面を有する。これにより、シャトン２２に取り付けられた装飾部材２１が視認されて効果を出し、同時に皿部１２によってシャトン２２が（装飾部材２１も）肌に触れないようになる。
【００２８】
接合部３０は、ピン部１０と装飾部２０とを接合する部材である。接合部３０は、第１及び第２のロウ材３１，３２を含む。第１及び第２のロウ材３１，３２は、第２のロウ材３２を第１のロウ材３１に溶接することができるよう、皿部１２を構成するチタン（融点１７２７℃）及びシャトン２２を構成する金（融点１０６３℃）、白金（融点１７７４℃）等の貴金属より融点の低い素材、例えば銀（融点９６１℃）を用いることができる。また、シャトン２２が銀（融点９６１℃）により構成される場合には、低融点の銀ロウ（例えば融点６００℃）を用いることができる。なお、第１及び第２のロウ材３１，３２同じ素材としてもよい。第１及び第２のロウ材３１，３２は、それぞれ、皿部１２の表面及びシャトン２２の裏面に設けられる。後述するように、皿部１２に設けられた第１のロウ材３１に、シャトン２２の裏面に設けられた第２のロウ材３２を溶接することで、シャトン２２の裏面を皿部１２の表面に固定することができる。
【００２９】
接合部３０によりシャトン２２を皿部１２に固定することで、ピン本体１１の先端から皿部１２を見た際に、シャトン２２の裏面の少なくとも一部、特に中央が皿部１２により覆われる。それにより、ピン本体１１を耳の穴にいれてピアス１を耳に付けた際に、皿部１２がシャトン２２との間に介在することでシャトン２２が耳に触れることがない。
【００３０】
ピアス１の製造方法について説明する。
【００３１】
まず、図２に示すように、ピン部１０の皿部１２の表面に第１のロウ材３１を溶着する。次に、図３に示すように、装飾部２０のシャトン２２の裏面の中央に第２のロウ材３２を溶着する。最後に、図４に示すように、シャトン２２に設けられた第２のロウ材３２の表面を皿部１２に設けられた第１のロウ材３１の表面に溶接する。これにより、チタン製の皿部１２に貴金属性のシャトン２２を容易に接続することができる。
【００３２】
以上詳細に説明したように、本実施形態のピアス用ピンであるピン部１０は、棒状のピン本体１１及びこの基端に設けられ、飾りが表面に施されるシャトン２２の裏面の少なくとも一部を覆う皿部１２を備え、ピン本体１１及び皿部１２はチタン製であることを特徴とする。飾りが表面に施されるシャトン２２の裏面の少なくとも一部を覆う皿部１２がピン本体１１の基端に設けられ、ピン本体１１及び皿部１２が金属アレルギーを起こし難いとして知られるチタン製であることから、ピン本体１１を耳の穴にいれてピアス用ピンを耳に付けた際に皿部１２が間に介在することでシャトン２２が耳に触れることがない。
【００３３】
また、本実施形態のピアス１は、ピン部１０及びピン部１０の皿部１２に裏面が固定される貴金属製のシャトン２２を備える。ピン部１０のピン本体１１を耳の穴にいれてピアス１を耳に付けた際に皿部１２がシャトン２２との間に介在することでシャトン２２が耳に触れることがない。
【００３４】
また、本実施形態のピアスの製造方法は、棒状のピン本体１１、及びピン本体１１の基端に設けられ、飾りが表面に施されるシャトン２２の裏面の少なくとも一部を覆う皿部１２を備えるピン部１０の皿部１２に第１のロウ材３１を溶着する工程、シャトン２２の裏面に第２のロウ材３２を溶着する工程、及び第２のロウ材３２を第１のロウ材３１に溶接する工程を含み、ピン本体１１及び皿部１２はチタン製であり、シャトン２２は貴金属性であることを特徴とする。ピン部１０の皿部１２に第１のロウ材３１を溶着し、シャトン２２の裏面に第２のロウ材３２を溶着し、第２のロウ材３２を第１のロウ材３１に溶接することで、チタン製の皿部１２に貴金属性のシャトン２２を容易に接続することができる。
【産業上の利用可能性】
【００３５】
本発明のピアス用ピン及びピアスは、金属アレルギーを起こしにくいピアス用ピン及びピアスを提供するのに好適である。また、本発明のピアス及びピアスの製造方法は、シャトンをピアス用ピンに容易に接続するのに好適である。
【符号の説明】
【００３６】
１  ピアス
１０  ピン部
１１  ピン本体
１２  皿部
２０  装飾部
２１  装飾部材
２２  シャトン
３０  接合部
３１  ロウ材
３２  ロウ材
【図１】
2017119067.tif 000003
【図２】
2017119067.tif 000004
【図３】
2017119067.tif 000005
【図４】
2017119067.tif 000006